(57)【特許請求の範囲】
【請求項１】
玄関子機と、室内モニタとの間で無線通信を行うテレビドアホン装置であって、
前記室内モニタは、
前記玄関子機の主電源を定期的にオンにさせ、主電源オフ時はスリープ状態にさせて所定の割り込み時に前記玄関子機の主電源をオンにさせる第１の通信方式、または、割り込み時にのみ前記玄関子機の主電源をオンにさせ、主電源オフ時はスリープ状態にさせる第２の通信方式への切り替えを前記玄関子機に要求する無線通信手段を有し、
前記玄関子機は、
前記室内モニタの前記無線通信手段からの要求に基づいて前記第１の通信方式あるいは前記第２の通信方式により主電源のオン／オフを制御する制御手段を有する、
テレビドアホン装置。
【請求項２】
前記室内モニタは、
前記第２の通信方式への切り替え指示を受けると、
前記玄関子機の主電源がオンになったタイミングで前記第１の通信方式から前記第２の通信方式への切り替えを要求する、
請求項１に記載のテレビドアホン装置。
【請求項３】
前記室内モニタは、
前記第１の通信方式への切り替え指示を受けると、
前記玄関子機に前記第２の通信方式から前記第１の通信方式への切り替えを要求する、
請求項１に記載のテレビドアホン装置。
【発明の詳細な説明】
【技術分野】
【０００１】
本発明は、テレビドアホン装置に関する。
【背景技術】
【０００２】
防犯に対する意識は年々向上しており、近年、戸建住宅だけでなくワンルームマンション等の一人暮らし世帯においても、低コスト、簡単設置で玄関子機等を実現したいという要求が増えてきている。
【０００３】
このような低コストで簡単設置の要求に応えるものとして、両者の間を無線通信させることにより配線工事を不要とするものも普及し始めている。例えば、特許文献１には、玄関子機と、玄関子機との間で無線通信を行うための無線親機とで構成されるテレビドアホン装置が開示されている。
【先行技術文献】
【特許文献】
【０００４】
【特許文献１】特開２００８−２５２２７１号公報
【発明の概要】
【発明が解決しようとする課題】
【０００５】
しかしながら、玄関子機または無線親機を電池駆動とした場合には、電池の交換または電池の充電等の手間を省くため、消費電力を抑えることが望まれる。
【０００６】
本発明の目的は、消費電力を抑えるテレビドアホン装置を提供することである。
【課題を解決するための手段】
【０００７】
本発明の一態様に係るテレビドアホン装置は、玄関子機と、室内モニタとの間で無線通信を行うテレビドアホン装置であって、前記室内モニタは、前記玄関子機の主電源を定期的にオンにさせ、主電源オフ時はスリープ状態にさせて所定の割り込み時に前記玄関子機の主電源をオンにさせる第１の通信方式、または、割り込み時にのみ前記玄関子機の主電源をオンにさせ、主電源オフ時はスリープ状態にさせる第２の通信方式への切り替えを前記玄関子機に要求する無線通信手段を有し、前記玄関子機は、前記室内モニタの前記無線通信手段からの要求に基づいて前記第１の通信方式あるいは前記第２の通信方式により主電源のオン／オフを制御する制御手段を有する構成を採る。
【発明の効果】
【０００８】
本発明によれば、消費電力を抑えることができる。
【図面の簡単な説明】
【０００９】
【図１】本発明の実施の形態に係るテレビドアホン装置を示す図
【図２】本発明の実施の形態に係る玄関子機の構成例を示すブロック図
【図３】本発明の実施の形態に係る室内モニタの構成例を示すブロック図
【図４】第１の通信方式から第２の通信方式に切り替える手順を示すシーケンス図
【図５】玄関子機と室内モニタにおける電流消費の変化の様子を示す図
【図６】第２の通信方式から第１の通信方式に切り替える手順を示すシーケンス図
【図７】玄関子機と室内モニタにおける電流消費の変化の様子を示す図
【図８】室内モニタの設定画面の一例を示す図
【発明を実施するための形態】
【００１０】
以下、本発明の実施の形態について、図面を参照して詳細に説明する。
【００１１】
（実施の形態）
図１は、本発明の実施の形態に係るテレビドアホン装置１０を示す図である。図１に示すように、テレビドアホン装置１０は、玄関子機１００と室内モニタ２００とを備える。
【００１２】
図２は、本発明の実施の形態に係る玄関子機１００の構成例を示すブロック図である。
【００１３】
＜玄関子機の構成＞
玄関子機１００は、無線通信部１０１、制御部１０２、操作部１０３、電源部１０４、撮像部１０５、音声入出力部１０６、記憶部１０７、割り込み検知部１０８を備える。
【００１４】
無線通信部１０１は、室内モニタ２００との間において、無線回線を介して通信する。無線通信部１０１による通信方式は、例えば、ＤＥＣＴ（Ｄｉｇｉｔａｌ  Ｅｎｈａｎｃｅｄ  Ｃｏｒｄｌｅｓｓ  Ｔｅｌｅｃｏｍｍｕｎｉｃａｔｉｏｎｓ）、無線ＬＡＮ（Ｌｏｃａｌ  Ａｒｅａ  Ｎｅｔｗｏｒｋ）、ＺｉｇＢｅｅ（登録商標）を含む。
【００１５】
無線通信部１０１は、撮像画像を室内モニタ２００へ送信する。これにより、屋内の居住者が、玄関扉付近に存在する来訪者を視認できる。また、無線通信部１０１は、玄関子機１００の音声入出力部１０６により集音された来訪者の音声を含む音声情報を室内モニタ２００へ送信する。また、無線通信部１０１は、室内モニタ２００から、居住者の音声を含む音声情報を受信する。これにより、屋外の来訪者と屋内の居住者とが通話できる。
【００１６】
制御部１０２は、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ＣＰＵ（Ｃｅｎｔｒａｌ  Ｐｒｏｃｅｓｓｉｎｇ  Ｕｎｉｔ）等を有する。例えば、ＣＰＵがＲＯＭに保持されたプログラムを実行することにより、制御部１０２の各種機能を実現する。
【００１７】
制御部１０２は、玄関子機１００全体を統括し、各種制御、演算、判定を実行する。制御部１０２は、玄関子機１００の各部を制御するための演算処理を行う。
【００１８】
操作部１０３は、例えば、呼出ボタンであり、来訪者によって押下されると、無線通信部１０１を介して、室内モニタ２００に来訪者の存在を通知する。
【００１９】
電源部１０４は、玄関子機１００が動作するための電力を各部へ供給する。電源部１０４は、設置性を考慮して１次電池または２次電池等の電池で構成されている。ただし、電源部１０４は、これに限らず、ＡＣ電源またはＡＣアダプタから電源が入力されてもよい。
【００２０】
撮像部１０５は、屋外における所定の空間を撮像する。撮像部１０５により撮像された画像（撮像画像）は、例えば、動画、静止画を含み、撮像画像には、来訪者、通行者、不審者、人以外の物体等が含まれる。
【００２１】
音声入出力部１０６は、マイク及びスピーカー等であり、来訪者の音声を含む音声情報を集音し、無線通信部１０１を介して、室内モニタ２００に送信する。また、音声入出力部１０６は、室内モニタ２００から送信された居住者の音声を含む音声情報を出力する。
【００２２】
記憶部１０７は、フラッシュメモリ等で構成され、例えば、玄関子機１００の識別番号等の装置情報、設定情報、室内モニタ２００の状態情報、室内モニタ２００への送信前の撮像画像等を記憶する。
【００２３】
割り込み検知部１０８は、玄関子機１００が備えるボタン等のキー割り込み、タイマによる割り込み、各種イベントによる割り込みを検知する。割り込みの検知は、ハードウェアによるものとソフトウェアによるものを含む。
【００２４】
割り込み検知部１０８は、超低消費電力を実現するために電源部１０４による各部への電力供給を制御する機能も備える。例えば、回路上で割り込み検知部１０８を電源部１０４と制御部１０２等各部との間に位置させて、割り込み検知部１０８だけを電源部１０４の微弱な電力により常時稼働させておく。そして、割り込み検知部１０８は、所定の割り込みの検知に基づいて、各部への電力供給するためスイッチング素子をＯＮ／ＯＦＦする。
【００２５】
＜室内モニタの構成＞
図３は、本発明の実施の形態に係る室内モニタ２００の構成例を示すブロック図である。
【００２６】
室内モニタ２００は、無線通信部２０１、制御部２０２、操作部２０３、電源部２０４、ＲＳＳＩレベル検知部２０５、表示部２０６、音声入出力部２０７、記憶部２０８、充電検知部２０９、割り込み検知部２１０を備える。
【００２７】
無線通信部２０１は、玄関子機１００との間において、無線回線を介して、通信する。無線通信部２０１による通信方式は、例えば、ＤＥＣＴ、無線ＬＡＮ、ＺｉｇＢｅｅ（登録商標）を含む。
【００２８】
無線通信部２０１は、玄関子機１００からの撮像画像を受信する。これにより、屋内の居住者が、玄関扉付近に存在する来訪者を視認できる。また、無線通信部２０１は、玄関子機１００から、来訪者の音声を含む音声情報を受信する。また、無線通信部２０１は、室内モニタ２００の音声入出力部２０７により集音した居住者の音声を含む音声情報を玄関子機１００へ送信する。これにより、屋外の来訪者と屋内の居住者とが通話できる。
【００２９】
制御部２０２は、ＲＯＭ、ＲＡＭ、ＣＰＵ等を有する。例えば、ＣＰＵがＲＯＭに保持されたプログラムを実行することにより、制御部２０２の各種機能を実現する。
【００３０】
制御部２０２は、室内モニタ２００全体を統括し、各種制御、演算、判定を実行する。制御部２０２は、室内モニタ２００の各部を制御するための演算処理を行う。
【００３１】
操作部２０３は、各種ボタンであり、例えば、玄関子機１００から来訪者の存在が通知された場合に応答するための応答ボタン、玄関子機１００から撮像画像を取得するためのモニタボタン、玄関子機１００を制御するためのボタンなどである。
【００３２】
電源部２０４は、室内モニタ２００が動作するための電力を各部へ供給する。電源部２０４は、ＡＣ電源またはＡＣアダプタから電源が入力される場合と、設置性を考慮して１次電池や２次電池等の電池で構成されている場合とがある。
【００３３】
ＲＳＳＩレベル検知部２０５は、無線通信部２０１が玄関子機１００から受信した信号の強度、すなわち、ＲＳＳＩ（Ｒｅｃｅｉｖｅｄ  Ｓｉｇｎａｌ  Ｓｔｒｅｎｇｔｈ  Ｉｎｄｉｃａｔｏｒ）レベルを検知する。
【００３４】
表示部２０６は、例えば、ＬＣＤ（Ｌｉｑｕｉｄ  Ｃｒｙｓｔａｌ  Ｄｉｓｐｌａｙ）を有し、各種の文字または画像を表示する。画像は、例えば、動画、静止画を含み、玄関子機１００からの撮像画像、室内モニタ２００を操作するための画像を含む。
【００３５】
音声入出力部２０７は、マイク及びスピーカー等であり、居住者の音声を含む音声情報を集音し、無線通信部２０１を介して、玄関子機１００に送信する。また、音声入出力部２０７は、玄関子機１００から送信された居住者の音声を含む音声情報を出力する。
【００３６】
記憶部２０８は、フラッシュメモリ等で構成され、各種画像や音声、その他の管理情報を含む。画像は、例えば、動画、静止画を含み、玄関子機１００からの撮像画像、室内モニタ２００を操作するための画像を含む。音声は、例えば、室内モニタ２００から発する定型メッセージの音声を含む。
【００３７】
その他の管理情報は、例えば、室内モニタ２００の各種の設定情報を勝手に変更できないようにするためのパスワード情報を含む。
【００３８】
充電検知部２０９は、室内モニタ２００が充電台等に載置され、電源部２０４が外部電源に接続されたかどうかを検知する。
【００３９】
割り込み検知部２１０は、室内モニタ２００が備えるボタン等のキー割り込み、タイマによる割り込み、各種イベントによる割り込みを検知する。割り込みの検知は、ハードウェアによるものとソフトウェアによるものを含む。
【００４０】
割り込み検知部２１０は、超低消費電力を実現するために電源部２０４による各部への電力供給を制御する機能も備える。例えば、回路上で割り込み検知部２１０を電源部２０４と制御部２０２等各部との間に位置させて、割り込み検知部２１０だけを電源部２０４の微弱な電力により常時稼働させておく。そして、割り込み検知部２１０は、所定の割り込みの検知に基づいて、各部への電力供給するためスイッチング素子をＯＮ／ＯＦＦする。
【００４１】
＜通信方式＞
次に、上述したテレビドアホン装置１０における通信方式について説明する。
【００４２】
第１の通信方式は、玄関子機１００が定期的（例えば、１．２８秒毎）に主電源をオンにし、主電源オフ時には、主電源をオンにするための最小限の回路ブロックのみ超低消費電流でバイアスされた状態（以下、「スリープ状態」という）にするものである。この通信方式では、玄関子機１００の呼出ボタン押下または室内モニタ２００のモニタボタン押下によって、玄関子機１００と室内モニタ２００とが無線接続して、屋外の来訪者と屋内の居住者とが通話できるようになる。
【００４３】
第２の通信方式は、玄関子機１００が割り込み時に主電源をオンにし、主電源オフ時にはスリープ状態にするものである。このため、第２の通信方式は、第１の通信方式に比べて、消費電力を抑制することができる。以下の説明において、第２の通信方式を「省エネモード」ということがある。この通信方式では、玄関子機１００の呼出ボタン押下によって、玄関子機１００と室内モニタ２００とが無線接続して、屋外の来訪者と屋内の居住者とが通話できるようになる。なお、この通信方式では、室内モニタ２００のモニタボタンが押下されても、玄関子機１００と室内モニタ２００とが無線接続するものではない。
【００４４】
＜通信方式の切り替え＞
図４は、第１の通信方式から第２の通信方式に切り替える手順を示すシーケンス図である。ステップＳ０１において、室内モニタ２００は、居住者から第２の通信方式への切替指示を受け、ステップＳ０２において、玄関子機１００が起動するタイミングで通信方式切替要求を玄関子機１００に送信する。
【００４５】
ステップＳ０３において、玄関子機１００は、第２の通信方式への切替確認を室内モニタ２００に送信し、第２の通信方式に切り替える。
【００４６】
図５は、玄関子機１００と室内モニタ２００における電流消費の変化の様子を示す図である。この図から分かるように、室内モニタ２００は、例えば、１０ｍｓ毎に同期出力を行っている。このとき、室内モニタ２００が時刻ｔ１にて、第２の通信方式への切替指示を受けたとする。
【００４７】
一方、玄関子機１００は、第１の通信方式にて、例えば、１．２８秒毎の定期受信に合わせて定期的に主電源をオンにしている。玄関子機１００が時刻ｔ２にて、主電源がオンのタイミングで室内モニタ２００から第２の通信方式への切替指示を受信すると、時刻ｔ３にて、通信方式切替確認を室内モニタ２００に送信し、第２の通信方式に切り替える。
【００４８】
図６は、第２の通信方式から第１の通信方式に切り替える手順を示すシーケンス図である。ステップＳ１１において、室内モニタ２００は、第１の通信方式への切替指示を受ける。その後、ステップＳ１２において、玄関子機１００の呼出ボタンが押下され、ステップＳ１３において、玄関子機１００は、室内モニタ２００を検出する。
【００４９】
ステップＳ１４において、室内モニタ２００は、通信方式切替要求を玄関子機１００に送信し、ステップＳ１５において、玄関子機１００は、第１の通信方式への切替確認を室内モニタ２００に送信し、第１の通信方式に切り替える。
【００５０】
図７は、玄関子機１００と室内モニタ２００における電流消費の変化の様子を示す図である。この図から分かるように、室内モニタ２００は、例えば、１０ｍｓ毎に同期出力を行っている。このとき、室内モニタ２００が時刻ｔ１にて、第１の通信方式への切替指示を受けたとする。
【００５１】
一方、玄関子機１００は、第２の通信方式にて、例えば、呼出ボタンが押下されるタイミングで主電源をオンにし、時刻ｔ２にて、室内モニタ２００から第１の通信方式への切替指示を受信すると、時刻ｔ３にて、通信方式切替確認を室内モニタ２００に送信し、第１の通信方式に切り替える。
【００５２】
図８は、室内モニタ２００の設定画面の一例を示す図である。居住者は、メニューボタン及び選択ボタンを押下して、図８（ａ）に示すように表示部２０６に表示された「各種設定」を選択し、決定ボタンを押下して決定する。
【００５３】
居住者は、選択ボタンを押下して、図８（ｂ）に示すように表示部２０６に表示された「省エネモード」を選択し、決定ボタンを押下して決定する。
【００５４】
居住者は、選択ボタンを押下して、図８（ｃ）に示すように表示部２０６に表示された「省エネモードＯＦＦ（第１の通信方式に相当）」または「省エネモードＯＮ（第２の通信方式に相当）」を選択し、決定ボタンを押下して決定する。なお、初期設定では、「省エネモードＯＮ」とする。
【００５５】
このように、本実施の形態のテレビドアホン装置１０では、玄関子機１００が定期的に主電源をオンにし、主電源オフ時はスリープ状態にする第１の通信方式と、玄関子機１００が割り込み時に主電源をオンにし、主電源オフ時はスリープ状態にする第２の通信方式とを切り替える。これにより、玄関子機１００の消費電力を抑えることができる。
【００５６】
なお、本実施の形態では、室内モニタが１０ｍｓ毎に同期出力するために主電源は常時オンであるとして説明したが、本発明はこれに限らず、例えば、特願２０１４−１９０９９１号において開示された通信方式を用いることにより室内モニタの主電源をオフし、スリープ状態にすることも可能である。これにより、室内モニタの消費電力も抑えることができる。
【産業上の利用可能性】
【００５７】
本発明にかかるテレビドアホン装置は、消費電力を抑えるのに有用である。
【符号の説明】
【００５８】
１０  テレビドアホン装置
１００  玄関子機
１０１、２０１  無線通信部
１０２、２０２  制御部
１０３、２０３  操作部
１０４、２０４  電源部
１０５  撮像部
１０６、２０７  音声入出力部
１０７、２０８  記憶部
１０８、２１０  割り込み検知部
２００  室内モニタ
２０５  ＲＳＳＩレベル検知部
２０６  表示部
２０９  充電検知部
【要約】
【課題】消費電力を抑えるテレビドアホン装置を提供する。
【解決手段】このテレビドアホン装置は、玄関子機と、室内モニタとの間で無線通信を行うテレビドアホン装置であって、前記室内モニタは、前記玄関子機が定期的に主電源をオンにし、主電源オフ時はスリープ状態にある第１の通信方式、または、前記玄関子機が割り込み時に主電源をオンにし、主電源オフ時はスリープ状態にある第２の通信方式への切り替えを前記玄関子機に要求する無線通信手段を有し、前記玄関子機は、前記室内モニタから要求された通信方式に切り替える制御手段を有する構成を採る。
【選択図】図１【図１】
0005910842.tif 000002
【図２】
0005910842.tif 000003
【図３】
0005910842.tif 000004
【図４】
0005910842.tif 000005
【図５】
0005910842.tif 000006
【図６】
0005910842.tif 000007
【図７】
0005910842.tif 000008
【図８】
0005910842.tif 000009